【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
大動脈血管損傷を治療するための血管修復デバイスであって、
a)  外表面および内表面を含むグラフト構成要素を有する主要プロテーゼ、ここで該グラフト構成要素は、主要管腔、近位開放端、遠位開放端ならびに該近位開放端および該遠位開放端を通って伸長する第1の主要長手軸を画定し、該主要プロテーゼはまた少なくとも1つの開窓を画定する；
b)  主要管腔内の第1の内部プロテーゼ、ここで該第1の内部プロテーゼは、グラフト構成要素、外表面および内表面を有し、かつ第1の内部管腔、該主要プロテーゼの近位開放端に対して遠位に配置される近位端、遠位端、ならびに該第1の内部管腔、該近位端および該遠位端を通って伸長しかつ第1の主要長手軸に対して実質的に平行である長手軸を少なくとも部分的に画定する；
c)  主要管腔内の第2の内部プロテーゼ、ここで該第2の内部プロテーゼは、グラフト構成要素、外表面および内表面を有し、かつ第2の内部管腔、該主要プロテーゼの近位端に対して遠位に配置される近位端、遠位端、ならびに該第2の内部管腔、該近位端および該遠位端を通って伸長しかつ第1の主要長手軸に対して実質的に平行である長手軸を少なくとも部分的に画定する；ならびに
d)  少なくとも2つの副プロテーゼ、ここで該少なくとも2つのプロテーゼのそれぞれは、近位端、遠位端、副管腔の少なくとも一部ならびに該近位端および該遠位端および該副管腔を通って伸長する主要長手軸を画定するグラフト構成要素を有し、該副プロテーゼのグラフト構成要素はそれぞれ、外表面および内表面を有し、ここでそれぞれの副プロテーゼは、第1の内部プロテーゼまたは第2の内部プロテーゼの遠位端から遠位に伸長し、該副管腔は、少なくとも1つの内部プロテーゼの遠位端と、少なくとも1つの開窓の間の流体連絡を提供する、
を含む、血管修復デバイス。
【請求項２】
2つの副プロテーゼのうちの少なくとも1つの遠位端が、主要プロテーゼにより画定される少なくとも1つの開窓に固定される、請求項１記載の血管修復デバイス。
【請求項３】
少なくとも2つの副プロテーゼのそれぞれの遠位端が、主要プロテーゼにより画定される少なくとも1つの開窓を通って伸長する、請求項１記載の血管修復デバイス。
【請求項４】
近位開放端に対して最近位にある主要プロテーゼのグラフト構成要素の内表面の一部が、第1の内部プロテーゼおよび第2の内部プロテーゼの少なくとも1つの内部管腔の一部を画定する、請求項１記載の血管修復デバイス。
【請求項５】
第1の内部プロテーゼおよび第2の内部プロテーゼの少なくとも1つに対して遠位にある主要プロテーゼのグラフト構成要素の内表面の一部が、それぞれの副プロテーゼの副管腔の少なくとも一部を画定する、請求項４記載の血管修復デバイス。
【請求項６】
第1の内部プロテーゼおよび第2の内部プロテーゼの少なくとも1つのグラフト構成要素が、主要プロテーゼのグラフト構成要素と接触する部分を含む、請求項１記載の血管修復デバイス。
【請求項７】
主要プロテーゼのグラフト構成要素と接触するグラフト構成要素の部分の近位端が、第1の内部プロテーゼおよび第2の内部プロテーゼのそれぞれの近位端の残りに対して近位にある、請求項６記載の血管修復デバイス。
【請求項８】
第2の内部プロテーゼの近位端が、第1の内部プロテーゼの近位端に対して遠位にある、請求項１記載の血管修復デバイス。
【請求項９】
副プロテーゼの少なくとも1つのグラフト構成要素の遠位端が、副プロテーゼのうちの別の副プロテーゼの少なくとも1つの遠位端に対して遠位に伸長し、副プロテーゼが、主要プロテーゼにより画定される開窓の少なくとも1つを通って伸長する、請求項１記載の血管修復デバイス。
【請求項１０】
副プロテーゼの1つの遠位端が、少なくとも2つの副プロテーゼのうちの少なくとも1つの別の副プロテーゼの遠位端とは異なる直径を有する、請求項１記載の血管修復デバイス。
【請求項１１】
第1および第2の内部プロテーゼの近位端が、主要管腔を長手方向に二分する面の片側上にある、請求項１記載の血管修復デバイス。
【請求項１２】
主要プロテーゼの遠位開放端が、主要プロテーゼの近位開放端の断面積よりも小さい断面積を有する、請求項１記載の血管修復デバイス。
【請求項１３】
主要プロテーゼのグラフト構成要素が、主要管腔に沿って遠位方向に狭くなる中間部を含む、請求項１記載の血管修復デバイス。
【請求項１４】
開窓の少なくとも1つが主要プロテーゼの中間部にあり、該中間部で、開窓の少なくとも1つが開窓のうちの別の開窓の少なくとも1つに対して遠位にある、請求項１３記載の血管修復デバイス。
【請求項１５】
中間部が4つの独立した開窓を画定し、主要プロテーゼの中間部で、副プロテーゼの2つが、第1の内部プロテーゼから第1および第2の独立した開窓へと伸長し、主要プロテーゼの中間部で、副プロテーゼの2つが、第2の内部プロテーゼから第3および第4の独立した開窓へと伸長する、請求項１３記載の血管修復デバイス。
【請求項１６】
主要プロテーゼの近位開放端で、支柱により連結される近位頂部および遠位頂部を有する少なくとも1つのステントをさらに含む、請求項１３記載の血管修復デバイス。
【請求項１７】
主要プロテーゼの近位開放端にある該ステントの近位頂部が、主要プロテーゼのグラフト構成要素の近位端から近位に伸長する、請求項１６記載の血管修復デバイス。
【請求項１８】
主要プロテーゼのグラフト構成要素の近位開放端で、該ステントの遠位頂部が、内表面に取り付けられる、請求項１７記載の血管修復デバイス。
【請求項１９】
主要プロテーゼの少なくとも1つのステントが、活性な固定構成要素(active fixation component)を含む、請求項１８記載の血管修復デバイス。
【請求項２０】
第1および第2の内部プロテーゼの少なくとも1つがステントを含む、請求項１９記載の血管修復デバイス。
【請求項２１】
主要プロテーゼの近位開放端および遠位開放端のそれぞれがステントを含む、請求項２０記載の血管修復デバイス。
【請求項２２】
主要プロテーゼの遠位端にある該ステントが、主要プロテーゼのグラフト構成要素の外表面に取り付けられる、請求項２１記載の血管修復デバイス。
【請求項２３】
主要プロテーゼの遠位端にある該ステントが、内表面に固定される、請求項２１記載の血管修復デバイス。
【請求項２４】
該遠位ステントが、少なくとも1つのバーブを含む活性な固定構成要素を含む、請求項２３記載の血管修復デバイス。
【請求項２５】
主要プロテーゼのグラフト構成要素が、近位端から遠位端へと狭くなる中間部を含み、さらに主要プロテーゼのグラフト構成要素の中間部の近位端に対して最近位にあるステントおよびその遠位端に対して遠位にあるステントを含む、請求項２４記載の血管修復デバイス。
【請求項２６】
副プロテーゼの少なくとも1つが、遠位端で、少なくとも1つのステントを含む、請求項２５記載の血管修復デバイス。
【請求項２７】
少なくとも1つの副プロテーゼのグラフト構成要素の遠位端にある少なくとも1つのステントが、活性な固定構成要素を含む、請求項２６記載の血管修復デバイス。
【請求項２８】
該血管修復デバイスが、主要プロテーゼのグラフト構成要素の近位開放端でクラウンステント、および該クラウンステントに対して遠位にあるクラスプステントをさらに含み、該クラウンステントおよびクラスプステントのそれぞれが、近位頂部、遠位頂部および該近位頂部と該遠位頂部を連結する支柱を有する、請求項１記載の血管修復デバイス。
【請求項２９】
主要プロテーゼの遠位端が二又に分かれる、請求項１記載の血管修復デバイス。
【請求項３０】
主要プロテーゼのグラフト構成要素の遠位開放端でステントをさらに含む、請求項２９記載の血管修復デバイス。
【請求項３１】
主要プロテーゼのグラフト構成要素の遠位開放端にある該ステントが、活性な固定構成要素を含む、請求項３０記載の血管修復デバイス。
【請求項３２】
それぞれの活性な固定構成要素がバーブを含む、請求項３１記載の血管修復デバイス。
【請求項３３】
該血管修復デバイスが、外表面および内表面を有するグラフト構成要素を含む少なくとも1つのさらなる血管修復デバイスをさらに含み、該グラフト構成要素が、管腔、近位開放端、遠位開放端ならびに該近位開放端および該遠位開放端および該管腔を通って伸長する主要長手軸を画定し、少なくとも1つのさらなる血管修復デバイスの近位端が、副プロテーゼの少なくとも1つの遠位端に取り付けられる、請求項１記載の血管修復デバイス。
【請求項３４】
それぞれの副プロテーゼのグラフト構成要素の遠位端の1つの内表面で、副プロテーゼの少なくとも1つが、活性な固定構成要素を含む、請求項３３記載の血管修復デバイス。
【請求項３５】
さらなる血管修復デバイスのグラフト構成要素の近位端の外表面で、少なくとも1つのさらなる血管修復デバイスが、活性な固定構成要素を含む、請求項３４記載の血管修復デバイス。
【請求項３６】
大動脈血管損傷を治療するための血管修復デバイスであって、
a)  外表面および内表面を含むグラフト構成要素を有する主要プロテーゼ、ここで該グラフト構成要素は、第1の主要管腔、近位開放端、遠位開放端ならびに該近位開放端および該遠位開放端を通って伸長する第1の主要長手軸を画定し、該主要プロテーゼはまた、下側に、少なくとも1つの開窓を画定する；
b)  主要管腔内の内部プロテーゼ、ここで該内部プロテーゼは、グラフト構成要素、外表面および内表面を有し、かつ第1の内部管腔、該主要プロテーゼの近位端に対して遠位に配置される近位端、遠位端ならびに該第1の内部管腔、該近位端および該遠位端を通って伸長しかつ第1の主要長手軸に対して実質的に平行である長手軸を少なくとも部分的に画定する；ならびに
c)  少なくとも2つの副プロテーゼ、ここで該少なくとも2つの副プロテーゼのそれぞれは、近位端、遠位端、副管腔の少なくとも一部ならびに該近位端および該遠位端を通っておよび該副管腔を通って伸長する主要長手軸を画定するグラフト構成要素を有し、少なくとも2つの副プロテーゼのグラフト構成要素のそれぞれは、外表面および内表面を有し、ここで該少なくとも2つの副プロテーゼのそれぞれは、内部プロテーゼの遠位端から遠位に伸長し、該副管腔は、少なくとも1つの内部プロテーゼの遠位端と少なくとも1つの開窓の間の流体連絡を提供する、
を含む、血管修復デバイス。
【請求項３７】
2つの副プロテーゼのうちの少なくとも1つの遠位端が、主要プロテーゼにより画定される少なくとも1つの開窓に固定される、請求項３６記載の血管修復デバイス。
【請求項３８】
少なくもとも2つの副プロテーゼのうちの少なくとも1つの遠位端が、主要プロテーゼにより画定される少なくとも1つの開窓を通って伸長する、請求項３６記載の血管修復デバイス。
【請求項３９】
該血管修復デバイスが、外表面および内表面を有するグラフト構成要素を含む少なくとも1つのさらなる血管修復デバイスをさらに含み、該グラフト構成要素が、管腔、近位開放端、遠位開放端ならびに該近位開放端および該遠位開放端および該管腔を通って伸長する主要長手軸を画定し、該少なくとも1つのさらなる血管修復デバイスの遠位端が、少なくとも1つの副プロテーゼの近位端に取り付けられる、請求項３６記載の血管修復デバイス。